(57)【要約】【課題】犯人の視界を遮断ことにより犯人を捕らえることができて、安全かつ確実に犯人を捕獲することができる犯人捕獲用具を提供する。【解決手段】開口部を有し、犯人の頭部を覆った状態で、犯人の外部の視界を遮断する袋状の捕獲網１と、開口部に取付けられる骨部材２と、骨部材２に取付けられる握柄３とを備えた犯人捕獲用具である。骨部材２が犯人の頭部を上方から下方に通過して、捕獲網１に犯人の頭部が入ったとき、捕獲網１にて犯人の外部の視界を遮断するとともに、骨部材２が犯人の首部の径に沿って縮径して開口部が縮まって、犯人の頭部の捕獲網１からの抜けを規制する。【選択図】図１
2010091154.tif 000002
【特許請求の範囲】
【請求項１】
開口部を有する袋状の捕獲網と、この開口部に取付けられる骨部材と、骨部材に取付けられる握柄とを備えた犯人捕獲用具であって、
前記骨部材が犯人の頭部を上方から下方に通過して、前記捕獲網に犯人の頭部が入ったとき、捕獲網にて犯人の外部の視界を遮断するとともに、骨部材が犯人の首部の径に沿って縮径して前記開口部が縮まって、犯人の頭部の捕獲網からの抜けを規制することを特徴とする犯人捕獲用具。
【請求項２】
前記骨部材は、板ばねにて構成されたことを特徴とする請求項１の犯人捕獲用具。
【請求項３】
前記骨部材は、ループ状の本体部と、この本体部から連設されて直線部に延びる操作部とからなり、前記操作部に対して引張力を付与することにより本体部を縮径させることを特徴とする請求項１又は請求項２の犯人捕獲用具。
【請求項４】
前記握柄に、催涙ガスが封入されたガス供給部を設け、催涙ガスが、ガス供給部から捕獲網に供給されることを特徴とする請求項１〜請求項３のいずれか１項の犯人捕獲用具。
【発明の詳細な説明】
【技術分野】
【０００１】
本発明は、犯人捕獲用具に関する。
【背景技術】
【０００２】
従来から、凶悪犯を取り押さえるために、握柄の先端に略Ｕ字形に湾曲した捕捉部を備えた捕捉器具が知られている。この捕捉器具は、一般には刺股（さすまた）と呼ばれ、略Ｕ字形の捕捉部で犯罪者等の胴部などを押え付けて身動きができないようにして使用するものである（特許文献１）。
【特許文献１】特開２００５−３５１５６５号公報
【発明の開示】
【発明が解決しようとする課題】
【０００３】
しかしながら、特許文献１に記載のものでは、犯人の体の一部を押さえるのみであり、視界を塞ぐことはできない。このため、凶器（例えば、銃や刃物等）を所持する犯人を押さえても、実際に捕獲するまでの間に凶器を使用される可能性があり、捕獲作業に危険を伴う。また、犯人の腕力が使用者の腕力よりも上回る場合等には、犯人は捕捉部を掴んで回転させる等して捕捉部から容易に抜けられてしまう可能性がある。
【０００４】
そこで、本発明は、上記課題に鑑みて、犯人の視界を遮断することにより犯人を捕らえることができて、安全かつ確実に犯人を捕獲することができる犯人捕獲用具を提供する。
【課題を解決するための手段】
【０００５】
本発明の犯人捕獲用具は、開口部を有する袋状の捕獲網と、この開口部に取付けられる骨部材と、骨部材に取付けられる握柄とを備えた犯人捕獲用具であって、前記骨部材が犯人の頭部を上方から下方に通過して、前記捕獲網に犯人の頭部が入ったとき、捕獲網にて犯人の外部の視界を遮断するとともに、骨部材が犯人の首部の径に沿って縮径して前記開口部が縮まって、犯人の頭部の捕獲網からの抜けを規制するものである。
【０００６】
本発明の犯人捕獲用具では、捕獲網に犯人の頭部が入ると、捕獲網にて犯人の外部の視界が遮断される。しかも、骨部材が犯人の首部の径と略同一の径となるように縮径することにより、捕獲網の開口部が縮径して、犯人の頭部が捕獲網から抜けるのを規制することができる。
【０００７】
前記骨部材は、板ばねにて構成することができるため、骨部材は犯人の首部に沿って柔軟に変形することができる。
【０００８】
前記骨部材は、ループ状の本体部と、この本体部から連設されて直線部に延びる操作部とからなり、前記操作部に対して引張力を付与することにより本体部を縮径させることができる。
【０００９】
前記握柄に、催涙ガスが封入されたガス供給部を設け、催涙ガスが、ガス供給部から握柄を介して捕獲網に供給することができる。これにより、捕獲網の中に催涙ガスを充満させることができる。
【発明の効果】
【００１０】
本発明の犯人捕獲用具によれば、犯人は外部の視界が遮断されることにより、犯人の行動の自由を奪うことができて、その間に犯人を捕獲することができる。これにより、実際に犯人を捕獲するまでの間、安全かつ確実に犯人を捕獲することができる。また、頭部が捕獲網から抜けるのを規制することにより、長時間、犯人の行動の自由を奪うことができて、犯人の逃走を防止することができ、一層安全かつ確実に犯人を捕獲することができる。
【００１１】
前記骨部材を板ばねにて構成すると、骨部材は犯人の首部に沿って柔軟に変形することができるため、骨部材が首部に密着し、首部から外れるのを防止することができる。これにより、犯人の視界を効果的に遮断することができる。
【００１２】
前記骨部材の操作部を操作して引張力を付与することにより、骨部材を縮径させることができるため、容易かつ短時間に骨部材を縮径させることができ、犯人を捕らえ易いものとできる。
【００１３】
捕獲網の中に催涙ガスを充満させることにより、催涙ガスを吸った犯人は身動きがとれない状態となって、その場からの逃走を一層防止することができ、一層犯人を捕獲しやすくなる。
【発明を実施するための最良の形態】
【００１４】
以下、本発明を実施するための最良の形態について説明する。
【００１５】
本発明の第１実施形態の犯人捕獲用具は、図１に示すように、開口部８をする袋状の捕獲網１と、この開口部８に取付けられる骨部材２と、骨部材２に取付けられる握柄３とを備え、前記捕獲網１にて犯人の頭部を覆って犯人を捕獲するものである。
【００１６】
捕獲網１は、開口部８を有する袋体であり、犯人を捕獲する際に犯人の頭部を覆うものである。この袋体は、例えば黒色のメッシュ布から構成されている。これにより、犯人の頭部を覆った状態では、犯人の視界を遮断するとともに、犯人の呼吸を確保することができる。
【００１７】
骨部材２は、図１に示すように、２本の板ばねから構成されている。骨部材２は、ループ状の本体部４と、この本体部４から連設されて直線部に延びる一対の操作部５ａ、５ｂとからなる。握柄３は、図１に示すように、円筒体からなる棒状の柄本体１１と、柄本体１１よりも径が小さく、柄本体１１に沿って一体的に延びる柄副体１９（図２参照）とで構成される。また、骨部材２の本体部４と操作部５とをガイドする一対のガイドパイプ１８ａ、１８ｂが設けられている。すなわち、ガイドパイプ１８ａ、１８ｂは円弧部６ａ、６ｂと直線部７ａ、７ｂとからなり、直線部７ａ、７ｂが握柄３の先端部に沿って内部に配置され、円弧部６ａ、６ｂが握柄３の先端部から突出するように円弧状に配置されている。そして、円弧部６ａ、６ｂに本体部４の一部が挿通されるとともに、直線部７ａ、７ｂに操作部５ａ、５ｂの一部が挿通されることによって、本体部４をループ状にガイドするとともに、操作部５ａ、５ｂを直線状にガイドしている。
【００１８】
本体部４は、犯人を捕獲する際、犯人の首部近傍の外周に配設されものである。本体部４の先端部には連結金具２１を有しており、この連結金具２１で板ばねの一端部２ａが連結されている。これにより、連結金具２１を外すと骨部材２の一端部２ａ同士の固定状態が解除されて、容易に捕獲網の取り外しを行うことができる。操作部５ａ、５ｂは、握柄１の内部に直線状に設けられている。骨部材２の一端部２ａ近傍には、骨部材２の外面を覆う弾性体２２が設けられており、弾性体２２に対向する位置に、相対面するように弾性体２３を設けている。弾性体２２、２３としては、例えば、スポンジ等にて構成される。捕獲網に犯人の頭部が入ったとき、弾性材２２は首部の前方に対応し、弾性材２３は首部の後方に対応することになる。これにより、弾性材２２、２３にて、犯人の首部を傷つけることなく、犯人を捕獲することができる。
【００１９】
握柄３の先端部にガイドパイプ１８ａ、１８ｂの直線部７が取付けられ、この握柄３の先端からガイドパイプ１８ａ、１８ｂの円弧部６が突出している。握柄３の中間部には、柄本体１１から垂直に突設するグリップ１７を設けている。柄本体１１の内部には、骨部材２の一対の操作部５ａ、５ｂと、操作部５ａ、５ｂの一端部が連結されるスライドロッド１３と、スライドロッド１３に連結されるスプリング（圧縮ばね）１４が設けられている。スライドロッド１３には、スライドロッド１３から垂直に突設するレバー１６が連結されており、レバー１６は、柄本体１１の外径面から突出している。すなわち、柄本体１１の外径面には、図３に示すように、軸方向に沿って溝１２が設けられている。この溝１２の軸方向両端部には、さらに周方向溝２０ａ、２０ｂが設けられている。これにより、レバー１６を溝１２に沿ってスライドさせることができるとともに、溝１２の軸方向両端部にてレバー１６をロックすることができる。握柄３は、例えば全長約１．２ｍとしており、犯人の捕獲に適切な長さとしている。
【００２０】
自由状態では、スプリング１４が最も伸びており、レバー１６は本体部側へ位置している。一方、レバー１６を反本体部側にスライドさせると、スプリング１４が縮んで一対の操作部５ａ、５ｂを反本体部側に引張ることができて、本体部４が人の首部の外周程度にまで縮径することになる。これにより、捕獲網１の開口部８が縮径して、人の外周程度にまで縮径することになる。そして、再びレバー１６を本体部側にスライドさせると、スプリング１４が伸びて一対の操作部５ａ、５ｂを本体部側に押圧することができる。これにより、本体部４が拡径して、捕獲網１の開口部８が拡径する。
【００２１】
柄副体１９は、図２に示すように、柄本体１１に沿って柄本体１１と一体的に延びる長尺体である。柄副体１９の一端部は、その先端縁が捕獲網１の内部に侵入している。また、柄副体１９の他端部に、ガス供給部１５が設けられている。このガス供給部１５は、催涙ガスが封入されるガスボンベにて構成されている。犯人を捕獲した際、催涙ガスがガスボンベから柄副体１９を通って捕獲網１に供給される。
【００２２】
次に、この犯人捕獲用具を用いて犯人を捕獲する方法を説明する。まず、使用者は、握柄１の持手側（反骨部材側）やグリップ１７を持って、犯人の頭部の上方から骨部材２の本体部４を降下させて、犯人の頭部を上方から下方に通過させる。これにより、捕獲網１に犯人の頭部が入って、犯人の頭部を覆い、犯人の外部の視界が遮断される。
【００２３】
その後、使用者はレバー１６を、溝１２に沿って反骨部材側に引き寄せて、周方向溝２０ｂに係合させる。これにより、スライドロッド１３に連結された一対の操作部５ａ、５ｂも反骨部材側に引張られた状態でロックすることができる。そして、図４に示すように、本体部４が縮径して人の首部の径と略同一の径となる。これにより、捕獲網１の開口部８が縮径して、犯人の頭部が捕獲網１から抜けるのを規制することができる。
【００２４】
犯人を捕獲した際に、犯人が暴れる等の場合は、ガス供給部１５から捕獲網１に催涙ガスを供給する。すなわち、犯人を捕獲した際、催涙ガスがガスボンベから柄副体１９を通って捕獲網１に供給することにより、捕獲網内に催涙ガスを充満させる。
【００２５】
このように、本発明の第１実施形態の犯人捕獲用具は、犯人の外部の視界を遮断することにより、犯人の行動の自由を奪うことができて、その間に犯人を捕獲することができる。これにより、実際に犯人を捕獲するまでの間、安全かつ確実に犯人を捕獲することができる。また、頭部が捕獲網１から抜けるのを規制することにより、長時間、犯人の行動の自由を奪うことができて、犯人の逃走を防止することができ、一層安全かつ確実に犯人を捕獲することができる。
【００２６】
前記骨部材２を、板ばねにて構成すると、骨部材２は犯人の首部に沿って柔軟に変形することができるため、骨部材２が首部に密着し、首部から外れるのを防止することができる。これにより、犯人の視界を効果的に遮断することができる。
【００２７】
前記骨部材２の操作部５の端部を引張ることにより骨部材２を縮径させることができるため、容易かつ短時間に骨部材２を縮径させることができ、犯人を捕らえ易いものとなる。
【００２８】
捕獲網１の中に催涙ガスを充満させることにより、催涙ガスを吸った犯人は身動きがとれない状態となって、その場からの逃走を一層防止することができ、一層犯人を捕獲しやすくなる。
【００２９】
次に、図５は本発明の第２実施形態の犯人捕獲用具である。この場合、骨部材２は１本の板ばねから構成されており、捕獲網１の開口部に取付けられるものである。図５に示すように、ループ状の本体部４と、この本体部４から連設されて直線部に延びる一本の操作部５とからなる。また、一対のガイドパイプ１８ａ、１８ｂのうち、一方のガイドパイプ１８ａを柄副体１１の外表面に固定するとともに、他方のガイドパイプ１８ｂを柄本体１１の内部に挿通している。そして、一方のガイドパイプ１８ａと他方のガイドパイプ１８ｂとで柄副体１９を挟持している。夫々のガイドパイプ１８ａ、１８ｂには、１本の骨部材２の一端部２ａと他端部２ｂとが挿通されている。すなわち、一方のガイドパイプ１８ａには、骨部材２の一端部２ａが挿通され、その端縁は柄副体１９に固定されている。他方のガイドパイプ１８ｂには、骨部材２の他端部２ｂが挿通され、その端縁はスライドロッド１３に固定されている。これにより、１本の操作部５がスライドロッド１３に固定されることになる。
【００３０】
次に、第２実施形態の犯人捕獲用具を用いて犯人を捕獲する方法を説明する。この場合、前記第１実施形態の犯人捕獲用具と同様の方法にて、捕獲網１に犯人の頭部が入って、犯人の頭部を覆い、犯人の外部の視界が遮断される。
【００３１】
その後、使用者はレバー１６を、溝１２に沿って反骨部材側に引き寄せる。これにより、スライドロッド１３に連結された操作部５も反骨部材側に引張られる。そして、本体部４が縮径して人の首部の径と略同一の径となる。これにより、捕獲網の開口部が縮径して、犯人の頭部が捕獲網から抜けるのを規制することができる。
【００３２】
このように、第２実施形態の犯人捕獲用具では、前記第１実施形態と同様の作用効果を奏する。なお、図５に示す犯人捕獲用具において、図１〜図４に示す犯人捕獲用具と同様の構成については、図１〜図４と同一符号を付してその説明を省略する。
【００３３】
次に、図６は、本発明の第３実施形態の犯人捕獲用具である。この場合、骨部材２を縮径させる縮径機構を、握柄３の本体部側に設けている。縮径機構は、枢結部３１を介して揺動する一対の揺動部材３５ａ、３５ｂと、揺動部材３５ａ、３５ｂの一端部の揺動を抑止する第１ストッパー部３２ａ、３２ｂと、揺動部材３５ａ、３５ｂの他端部の揺動を抑止する第２ストッパー部３３と、揺動部材３５ａ、３５ｂの他端部の端縁に設けられて、揺動部材３５ａ、３５ｂを揺動させるワイヤー３４ａ、３４ｂとを備えている。揺動部材３５ａ、３５ｂは、通常は第１ストッパー部３２ａ、３２ｂに当接している一方、第２ストッパー部３３には当接していない状態となっている。
【００３４】
この縮径機構を用いて骨部材２を縮径させる方法は、ワイヤー３４ａ、３４ｂを反本体部側へ引張ることにより、揺動部材３５ａ、３５ｂは枢結部３１を中心に、図６の矢印Ａに示すように、骨部材２を縮径させる方向に揺動する。すなわち、揺動部材３５ａ、３５ｂの一端部が互いに接近する方向に揺動する。そして、揺動部材３５ａ、３５ｂの他端部が第２ストッパー部３３に当接することにより、揺動部材３５ａ、３５ｂのそれ以上の揺動が抑止される。これにより、骨部材２の本体部４（ループ）の一部がつままれた状態となって、人の首部の外周程度となる。
【００３５】
第４実施形態として、スプリング１４に引張りばねを用いている。すなわち、自由状態では、スプリング１４が最も縮んでおり、レバー１６は反本体部側へ位置している。一方、レバー１６を本体部側にスライドさせると、スプリング１４が伸びて一対の操作部５ａ、５ｂを本体部側に引張ることができて、本体部４が拡径することになる。これにより、捕獲網１の開口部８が拡径することになる。そして、再びレバー１６を反本体部側にスライドさせると、スプリング１４が縮んで一対の操作部５ａ、５ｂを反本体部側に押圧することができる。これにより、本体部４が縮径して、捕獲網１の開口部８が縮径する。
【００３６】
次に、第４実施形態の犯人捕獲用具を用いて犯人を捕獲する方法を説明する。この場合、前記第１実施形態〜第３実施形態の犯人捕獲用具と同様の方法にて、捕獲網１に犯人の頭部が入って、犯人の頭部を覆い、犯人の外部の視界が遮断される。
【００３７】
その後、使用者はレバー１６を、溝１２に沿って反骨部材側に引き寄せる。これにより、スライドロッド１３に連結された操作部５も反骨部材側に即座に引張られる。そして、本体部４が縮径して人の首部の径と略同一の径となる。これにより、捕獲網の開口部が縮径して、犯人の頭部が捕獲網から抜けるのを規制することができる。このように、第４実施形態の犯人捕獲用具では、前記第１実施形態〜第３実施形態と同様の作用効果を奏する。
【００３８】
以上、本発明の実施形態につき説明したが、本発明は前記実施形態に限定されることなく種々の変形が可能であって、例えば、握柄３は、柄副体１９を有さずに、柄本体１１のみから構成してもよい。また、催涙ガスを封入したガス供給部１５を有さないものであってもよい。握柄３の長さは、種々の長さとすることができ、材質は軽量なものであれば種々のものを使用することができる。グリップ１７は１箇所に限らず、２箇所以上設けることもできる。さらには、握柄３の断面形状としては、円形、楕円形、三角形、四角形、多角形等種々の形状を採用することができる。溝１２の長さも種々の長さとすることができる。
【００３９】
捕獲網１の素材や色は、犯人の視界を遮断できるものであれば種々のものを使用できる。また、弾性体２２、２３は、骨部材２の全周にわたって設けることもできる。骨部材２は、板ばねの他ワイヤーであってもよい。
【図面の簡単な説明】
【００４０】
【図１】本発明の第１実施形態を示す犯人捕獲用具の透視図である。
【図２】本発明の第１実施形態を示す犯人捕獲用具の透視図である。
【図３】前記図１の拡大平面図である。
【図４】前記図１の犯人捕獲用具の骨部材が縮径した状態を示す要部拡大平面図である。
【図５】本発明の第２実施形態を示す犯人捕獲用具の透視図である。
【図６】本発明の第３実施形態を示す犯人捕獲用具の要部拡大平面図である。
【符号の説明】
【００４１】
１    捕獲網
２    骨部材
３    握柄
４    本体部
５    操作部
１５  ガス供給部
【図１】
2010091154.tif 000003
【図２】
2010091154.tif 000004
【図３】
2010091154.tif 000005
【図４】
2010091154.tif 000006
【図５】
2010091154.tif 000007
【図６】
2010091154.tif 000008